(57)【特許請求の範囲】
【請求項１】
それぞれが菱形金網で矩形に形成された底網板と前後及び左右の側網板とからなる角形の篭本体、及び、上記底網板と少なくとも一つの側網板との間に斜めに張設される補強用の張線を有し、
上記篭本体は、上記側網板が底網板に起倒自在なるように連結されていて、該側網板を底網板上に倒伏させることにより扁平状に折り畳み可能であると共に、該側網板を起立させることにより箱形に組み立て可能なるように構成され、
上記張線は、上記底網板及び側網板の両方に対し、上記篭本体の折り畳み時にも組み立て時にも該張線がこれらの底網板及び側網板の一部に係合したまま非離脱状態を維持するように取り付けられていて、該篭本体の折り畳み時には、上記底網板及び側網板に係合したまま該側網板と一緒に倒伏して非張設状態となり、該篭本体の組み立て時には、上記側網板の起立に追随して起立することにより斜めに張設された状態となるように構成されていることを特徴とする角形石詰篭。
【請求項２】
上記張線が針金からなっていて、並列する一対の線条によって二重に形成され、これらの線条間に上記底網板及び／又は側網板の一部が相対的にスライド自在なるように挟持されていることを特徴とする請求項１に記載の角形石詰篭。
【請求項３】
上記張線の基端部が底網板に回動自在に係止し、該張線の上記基端部を除くその他の部分が側網板に対してスライド自在であることを特徴とする請求項２に記載の角形石詰篭。
【請求項４】
上記張線の先端部には、該張線の張設時に上記側網板に係止する環状の係止部が形成され、また、上記一対の線条間にはスライド用空間が形成され、これらの係止部とスライド用空間とが連なっていて、係止部の空間幅がスライド用空間の空間幅より広いことを特徴とする請求項３に記載の角形石詰篭。
【請求項５】
上記張線が、両端部を上記底網板と側網板とに回動自在に係止され、中間部において屈伸自在であることを特徴とする請求項１に記載の角形石詰篭。
【請求項６】
上記張線が針金からなっていて、中間部に屈伸のためのヒンジ部を有することを特徴とする請求項５に記載の角形石詰篭。
【発明の詳細な説明】
【技術分野】
【０００１】
本発明は、内部に石を詰めて護岸工事や宅地造成工事等に使用する角形の石詰篭に関するものである。
【背景技術】
【０００２】
護岸工事や道路工事等の各種工事に使用される角形石詰篭は、通常、菱形金網からなる矩形の底網板と前後及び左右の側網板とで箱形に組み立てられ、内部に栗石を詰めた状態で現場に設置される。この場合、空の石詰篭を工事現場に運搬して所定の場所に配置したあと、別途に搬入した栗石を充填するのが一般的であるが、最近では、栗石が保管されている場所で空の石詰篭に重機で栗石を機械的に詰めることにより、必要量の栗石が充填された栗石充填篭を予め形成し、この栗石充填篭をトラックで施工現場へ搬送して設置する方法も行われている。
【０００３】
何れの場合においても、石詰篭は、充填した栗石の重量によって底面や側面が下方や側方に湾曲するなどの変形を生じないように形成されていることが必要であり、このため通常は、底網板と側網板との間に補強用の張線を斜めに張設するようにしている。例えば特許文献１には、法面保護工に使用されるふとん篭として、補強用の張線で側面網の変形を防止するようにしたものが開示されている。
【特許文献１】実公平７−２８１８１号公報
【発明の開示】
【発明が解決しようとする課題】
【０００４】
ところが、従来は、栗石の充填現場で石詰篭を組み立てる際に、別に用意した上記張線を、張設する場所を選択しながら、一端を底網板の列線に巻き付けて係止させると共に、他端を側網板の列線に巻き付けて係止させるといった方法で取り付けていたため、その取り付けに手間を要し、張線の数が多いときには時間もかかっていて。
【０００５】
そこで本発明の目的は、石詰篭の組み立てと共に張線を所定の位置に張設することができる、張線の張設が簡単な角形石詰篭を提供することにある。
【課題を解決するための手段】
【０００６】
上記目的を達成するため、本発明の角形石詰篭は、それぞれが菱形金網で矩形に形成された底網板と前後及び左右の側網板とからなる角形の篭本体、及び、上記底網板と少なくとも一つの側網板との間に斜めに張設される補強用の張線を有し、上記篭本体は、上記側網板が底網板に起倒自在なるように連結されていて、該側網板を底網板上に倒伏させることにより扁平状に折り畳み可能であると共に、該側網板を起立させることにより箱形に組み立て可能なるように構成され、上記張線は、上記底網板及び側網板の両方に対し、上記篭本体の折り畳み時にも組み立て時にも該張線がこれらの底網板及び側網板の一部に係合したまま非離脱状態を維持するように取り付けられていて、該篭本体の折り畳み時には、上記底網板及び側網板に係合したまま該側網板と一緒に倒伏して非張設状態となり、該篭本体の組み立て時には、上記側網板の起立に追随して起立することにより斜めに張設された状態となるように構成されていることを特徴とするものである。
【０００７】
本発明において好ましくは、上記張線が針金からなっていて、並列する一対の線条によって二重に形成され、これらの線条間に上記底網板及び／又は側網板の一部が相対的にスライド自在なるように挟持されていることである。
この場合、上記張線の基端部が底網板に回動自在に係止し、該張線の上記基端部を除くその他の部分が側網板に対してスライド自在であることが望ましい。
【０００８】
本発明においては、上記張線の先端部に、該張線の張設時に上記側網板に係止する環状の係止部が形成され、また、上記一対の線条間にはスライド用空間が形成され、これらの係止部とスライド用空間とが連なっていて、係止部の空間幅がスライド用空間の空間幅より広く形成されている。
【０００９】
また、本発明においては、上記張線が、両端部を上記底網板と側網板とに回動自在に係止され、中間部において屈伸自在であっても良い。
あるいは、上記張線が針金からなっていて、中間部に屈伸のためのヒンジ部を有するものであっても構わない。
【発明の効果】
【００１０】
本発明によれば、石詰篭の組み立てと同時に張線が自動的に所定の位置に張設されるので、該張線の張設が簡単で、その張設作業を改めて行う必要がない。しかも、該張線は、石詰篭を現場に輸送するために折り畳む際にも、折り畳んだ石詰篭を現場で組み立てる際にも、上記底網板及び側網板に係合したまま該側網板と一緒に倒伏したり起立したりするように取り付けられているため、石詰篭の取り扱いも容易である。
【発明を実施するための最良の形態】
【００１１】
図１は本発明に係る角形石詰篭１０Ａの第１実施形態を示す組立状態の斜視図、図６はこの石詰篭１０Ａを折り畳んだ状態の平面図であって、この石詰篭１０Ａは、図６のように折り畳んだ状態で栗石の充填現場や護岸工事あるいは宅地造成工事等の施工現場に運搬し、そこで図１のように組み立てて内部に栗石を充填するものである。
【００１２】
上記石詰篭１０Ａは、菱形金網で矩形の箱形に形成された篭本体１１と、この篭本体１１の上面に必要に応じて取り付けられる菱形金網製の矩形の蓋網板１２とで形成されている。
上記菱形金網は、図２又は図３にその一部が拡大されて示されているように、扁平螺旋状に折曲した複数の列線２０を、その折曲部２０ａにおいて順次係合することにより構成されたもので、このような菱形金網の構成自体は周知のものである。
【００１３】
上記篭本体１１は、矩形の底網板１６と、前後一対の矩形の側網板１７，１７と、左右一対の矩形の側網板１８，１８とで構成されている。このうち、底網板１６と前後の側網板１７，１７とは、１枚の菱形金網によって一連に形成され、それらの境界部分に１本の枠線１９が挿通されている。また、底網板１６と左右の側網板１８，１８とは、互いに別々に形成され、底網板１６における列線２０の端部に形成した環２０ｂと、側網板１８の最下端に位置する列線２０の折曲部２０ａとに、共通の枠線２２を挿通することにより、これらの底網板１６と側網板１８とが相互に連結されている。更に、隣接する側網板１７と１８との側辺同士の連結は、それらの相対する枠線がスクリューストッパ２３で連結されている。
上記篭本体１１に蓋網板１２を取り付ける場合は、該蓋網板１２の枠線２４と、上記側網板１７及び１８の上端の枠線１７ａ及び１８ａとが、上述したスクリューストッパで連結される。
しかし、上記底網板１６と前後の側網板１７，１７とは別々に形成し、互いの連結すべき端辺に位置する列線２０の折曲部２０ａに共通の枠線を挿通することによって相互に連結しても良い。
【００１４】
上記底網板１６には、前後方向に延びる補強用の縦骨線２６と、左右方向に延びる補強用の横骨線２７とが、該底網板１６の中央で交差するように取り付けられ、また、前後の側網板１７，１７には、上記底網板１６の縦骨線２６に連なる位置に、補強用の縦骨線２８が該側網板１７の高さ方向に取り付けられると共に、該側網板１７の高さ方向の中央よりも上方の位置に、該側網板１７の左右方向に延びる補強用の横骨線２９が取り付けられている。
更に、左右の側網板１８，１８には、上記底網板１６の横骨線２７に連なる位置に、補強用の縦骨線３０が該側網板１８の高さ方向に取り付けられ、蓋網板１２には、上記底網板１６と同様に、その中央位置を前後方向及び左右方向に延びる補強用の縦骨線３２と横骨線３３とが取り付けられている。
【００１５】
上記各骨線は、図２に側網板１７の横骨線２９で代表的に示すように、隣接する列線２０，２０の互いに係止し合う折曲部２０ａ，２０ａの位置で、これらの折曲部２０ａ，２０ａ内に挿通させることにより、各網板に取り付けられている。
【００１６】
また、上記篭本体１１には、図１に示すように、底網板１６と前側の側網板１７及び後側の側網板１７との間の複数箇所に、針金からなる補強用の張線３５が斜めに張設されている。この張線３５は、図４に示すように、１本の針金を２つに折曲することにより二重に形成したもので、並列して延びる一対の線条３５ａ，３５ａを有し、該張線３５の先端部と基端部とに、上記側網板１７と底網板１６とに係止する第１係止部３５ｂ及び第２係止部３５ｃが形成されると共に、一対の線条３５ａ，３５ａ間に、上記側網板１７の一部に対して相対的にスライド自在とするためのスライド用空間３６が形成されている。この張線３５は若干の弾性を有していて、上記スライド用空間３６の空間幅が弾性的に変化できるようになっている。
【００１７】
上記張線３５の先端の第１係止部３５ｂは、該張線３５の張設時に上記側網板１７に係止するもので、一対の線条３５ａ，３５ａが連なる部分に環状に形成され、その内部空間は上記スライド用空間３６に通じている。そして、この第１係止部３５ｂが、図１及び図２に示すように、上記側網板１７を横向きに横断する上記横骨線２９上の位置で、この横骨線２９が挿通する２つの列線２０，２０の折曲部２０ａ，２０ａに係止している。従って、この張線３５は、上記横骨線２９と２つの列線２０，２０の折曲部２０ａ，２０ａとに同時に係止していることになる。
なお、以下の説明においては、上記第１係止部３５ｂが係止する側網板１７の部分を「第１係止点３８」と称することとする。
【００１８】
上記第１係止部３５ｂの空間幅は、上記スライド用空間３６の空間幅より若干広く形成されていて、それらの境目の部分に形成される顎３５ｄによって逆止効果が働くようになっている。即ち、図２に示すように、石詰篭１０Ａが組み立てられて上記張線３５が張設状態となり、上記第１係止部３５ｂが第１係止点３８に係止しているとき、この第１係止点３８が上記スライド用空間３６内に移動するのが顎３５ｄによって防止され、それによって該張線３５の張設状態の緩みが防止されるようになっている。
【００１９】
一方、上記張線３５の基端側の第２係止部３５ｃは、該張線３５の基端部を底網板１６に傾動自在に係止させるためのもので、上記一対の線条３５ａ，３５ａの端部を折り返すことにより、制限された長さを持つ細長い環の形に形成され、この第２係止部３５ｃが、図３に示すように、上記底網板１６の中央部を横向きに延びる横骨線２７上の位置で、該横骨線２７が係止する２つの列線２０，２０の折曲部２０ａ，２０ａに、これらの折曲部２０ａと横骨線２９とをまとめて取り囲んだ状態に係止している。この基端側の第２係止部３５ｃは、上記スライド用空間３６とは隔離されている。
なお、以下の説明において、上記第２係止部３５ｃが係止する底網板１６の部分を、「第２係止点３９」と称することとする。
【００２０】
上記張線３５は、底網板１６と前側の側網板１７との間、及び底網板１６と後側の側網板１７との間に、それぞれ２箇所ずつ取り付けられていて、該張線３５の基端部が係止する底網板１６上の第２係止点３９と、先端部が係止する側網板１７上の第１係止点３８とは、石詰篭１０Ａの横方向のほぼ同じ位置である。
しかし、上記張線３５を張設する場所は、石詰篭１０Ａの横方向における中央の１箇所であっても、あるいは３箇所以上であっても良く、また、底網板１６と前後何れかの一方の側網板１７との間だけであっても良い。
【００２１】
上記構成を有する石詰篭１０Ａは、図１の組立状態から前後の側網板１７，１７と左右の側網板１８，１８とを連結するスクリューストッパ２３が取り外された状態で、図６に示すように、上記各側網板１７，１８を底網板１６の上に倒伏させることにより扁平状に折り畳んだ状態にされ、その状態で栗石の充填現場や護岸工事あるいは宅地造成工事等の施工現場に運搬される。
その折り畳みの際、各張線３５は、図５に中間の折り畳み状態を示すように、側網板１７の傾倒に伴い、基端側の第２係止部３５ｃが係止している底網板１６の第２係止点３９を中心に回動し、先端側を該側網板１７から次第に外部に露出させながら、該側網板１７上に折り重なるように傾倒していく。
【００２２】
このとき、上記側網板１７の第１係止点３８は、張線３５の傾倒と共に第１係止部３５ｂからスライド用空間３６内に移動し、該スライド用空間３６内を張線３５の基端部側に向けて相対的にスライドする。換言すれば、上記張線３５は、図７に示すように、一対の線条３５ａ，３５ａ間に上記第１係止点３８における横骨線２９と折曲部２０ａ，２０ａとを挟持したまま、これらの横骨線２９と折曲部２０ａ，２０ａとにガイドされながら図６の状態に倒伏し、非張設状態となる。
【００２３】
従って、上記張線３５は、傾倒動作中においても倒伏後においても、常に側網板１７の一部である上記第１係止点３８に係止したままの状態を維持し、該側網板１７から離脱することがない。もちろん底網板１６に対しても第２係止点３９に係止したままである。
なお、倒伏した張線３５の先端部は、底網板１６の上面領域から側方に若干延出することになる。
【００２４】
また、折り畳んだ石詰篭１０Ａを組み立てるときは、上記折り畳む場合とは逆の操作を行えば良い。その際、上記張線３５は、上記側網板１７の起立と共に該側網板１７に引き上げられて徐々に立ち上がっていき、図５に示す中間の起立状態を経て、図１のように斜めに張設された状態となる。このとき、上記側網板１７の第１係止点３８は、上記張線３５のスライド用空間３６内を該張線３５の先端側に向けて相対的にスライドし、上記第１係止部３５ｂに係止して該張線３５を張設状態にさせる。そのあと、前後の側網板１７，１７と左右の側網板１８，１８とをスクリューストッパ２３で連結することにより、石詰篭１０Ａが組み立てられる。
【００２５】
そして、この石詰篭１０Ａを組み立てる場合においても、上記張線３５は、その起立動作中も起立後の張設状態においても、常に側網板１７の第１係止点３８に対して係止した状態を維持し、該側網板１７から離脱することはない。もちろん底網板１６に対しても第２係止点３９に係止したままである。
【００２６】
従って、上記石詰篭１０Ａにおいては、その組み立てと同時に張線３５が自動的に所定の位置に張設されるので、該張線３５の張設が簡単で、その張設作業を改めて行う必要がないという利点がある。しかも、上記張線３５は、上記底網板１６及び側網板１７の両方に対し、上記篭本体１１の折り畳み時にも組み立て時にも該張線３５の一部がこれらの底網板１６及び側網板１７の一部に係合したまま非離脱状態を維持するように取り付けられているから、石詰篭１０Ａの取り扱いも容易である。
【００２７】
図８及び図９には、本発明に係る角形石詰篭の第２実施形態が示されている。この第２実施形態の石詰篭１０Ｂが上記第１実施形態の石詰篭１０Ａと相違する点は、張線３５の基端側の第２係止部３５ｃが係止する底網板１６上の第２係止点３９の位置と、該張線３５の先端側の第１係止部３５ｂが係止する側網板１７上の第１係止点３８の位置とが、石詰篭１０Ｂの横方向の互いに正対する位置ではなく、互いに異なる位置を占めているという点である。図示の例では、底網板１６上の第２係止点３９に対し、側網板１７上の第１係止点３８が、石詰篭１０Ｂの中央側に寄っている。
【００２８】
このため、この石詰篭１０Ｂを図９のように折り畳んだ場合、上記張線３５が斜めに倒伏するため、該張線３５の先端が底網板１６の上面領域から側方に延出する度合いが、上記第１実施形態の場合よりは軽減されることとなる。なお、上記両係止点３８及び３９の位置次第では、該張線３５の先端が底網板１６から完全に延出しないようにすることも可能である。
この場合、図９に示すように、隣接する２つの張線３５，３５を、それらの先端部が互いに接近する方向に倒伏するようにしておけば、それらの先端部同士を針金で結束することにより、折り畳んだ石詰篭の梱包が容易になる。
【００２９】
なお、この第２実施形態における上述したこと以外の構成については、第１実施形態と実質的に同じであるため、主要な同一構成部分に第１実施形態と同じ符号を付してその説明は省略する。
【００３０】
上記各実施形態においては、上記張線３５の基端側の第２係止部３５ｃはスライド用空間３６と隔離されていて、底網板１６に対してこの第２係止部３５ｃの内部空間の範囲でしか変位できないが、この第２係止部３５ｃを、先端部側の第１係止部３５ｂと同様にスライド用空間３６に連通させても良い。これにより該張線３５は、このスライド用空間３６によって底網板１６に対しても側網板１７に対してもスライド自在となる。
【００３１】
また、上記張線３５は、上述したように側網板１７及び底網板１６に対してスライド自在とすることなく、両端部を上記側網板１７の第１係止点３８と底網板１６の第２係止点３９とに回動自在に係止させ、中間部において屈伸自在であるように構成することもできる。この場合に該張線３５は、合成樹脂製の紐のような柔軟性素材によって形成される。張線３５をこのように構成することにより、石詰篭の折り畳みの際に該張線３５が折れ曲がり、底網板１６と側網板１７との間に挟まれた状態で倒伏することになる。
【００３２】
あるいは、張線３５を図１０に示すように構成することもできる。この張線３５は、２本の針金製の線条３５Ａを環３５Ｂで連結することにより、中央にこれらの環３５Ｂからなる折曲自在のヒンジ部３５Ｃを形成したもので、張線３５の両端部に底網板１６と側網板１７とに回動自在に係止させるための係止部３５Ｄを有している。この張線３５においても、上記柔軟性素材から張線の場合と同様に、石詰篭の折り畳みの際に該張線３５がヒンジ部３５Ｃにおいて折れ曲がり、底網板１６と側網板１７との間に挟まれた状態で倒伏することになる。
【００３３】
また、上記各実施形態においては、上記張線３５を底網板１６と前後の側網板１７，１７との間に張設する例が示されているが、この張線３５は、このように底網板１６と前後の側網板１７，１７との間に張設する代わりに、あるいはそれに加えて、底網板１６と左右の側網板１８，１８の一方又は両方との間に張設しても良い。
更に、上記張線３５の両端が係止する底網板１６及び側網板１７，１８の係止点には、必ずしも骨線が挿通されていなくても良く、それは列線２０の折曲部２０ａだけで形成されていても構わない。しかし、この係止点を側網板１７，１８の上端部に設定する場合には、この上端部に取り付けられた枠線上の位置に設定することが望ましい。
【図面の簡単な説明】
【００３４】
【図１】本発明に係る角形石詰篭の第１実施形態を示す分解斜視図である。
【図２】図１の側網板の要部を拡大して示す要部拡大図である。
【図３】図１の底網板の要部を拡大して示す要部拡大図である。
【図４】張線の平面図である。
【図５】石詰篭の中間の折り畳み状態を示す側断面図である。
【図６】図１の石詰篭の折り畳み状態を示す平面図である。
【図７】図６の要部拡大図である。
【図８】本発明に係る角形石詰篭の第２実施形態を示す分解斜視図である。
【図９】図８の石詰篭の折り畳み状態を示す平面図である。
【図１０】張線の異なる例を示す平面図である。
【符号の説明】
【００３５】
１０Ａ，１０Ｂ      石詰篭
１１      篭本体
１６      底網板
１７      前後の側網板
１８      左右の側網板
３５      張線
３５ａ      線条
３５ｂ，３５ｃ      係止部
３５Ｃ      ヒンジ部
３６      スライド用空間
【図１】
0004409591.tif 000002
【図２】
0004409591.tif 000003
【図３】
0004409591.tif 000004
【図４】
0004409591.tif 000005
【図５】
0004409591.tif 000006
【図６】
0004409591.tif 000007
【図７】
0004409591.tif 000008
【図８】
0004409591.tif 000009
【図９】
0004409591.tif 000010
【図１０】
0004409591.tif 000011